(57)【要約】【課題】防塵機能及び能動型復位機能を備えた腰部トレーニングマシーン構造を提供する。【解決手段】腰部トレーニングマシーン構造は、トレーニングマシーン本体１０及び弾性カバー２０を備える。トレーニングマシーン本体１０は、ベース１１を有する。ベース１１上には、偏心機構１２を介して支持板１３が枢着され、ベース１１を重りとして利用してトレーニングマシーン本体１０が地面に安定的に設置され、偏心機構１２を介して支持板１３の設置高さを一般成人の膝の高さより僅かに高くする。弾性カバー２０は、先端縁２１及び底縁２２を有する。弾性カバー２０の全周式カバーにより、ベース１１と支持板１３との間の偏心機構１２が外部空間から隔絶される。支持板１３が使用されていない場合、弾性カバー２０が牽引されて能動的に同一の固定位置へ復位する。【選択図】図２
0003201592.tif 000002
【実用新案登録請求の範囲】
【請求項１】
トレーニングマシーン本体及び弾性カバーを備えた腰部トレーニングマシーン構造であって、
前記トレーニングマシーン本体は、ベースを有し、前記ベース上には、偏心機構を介して支持板が枢着され、前記ベースを重りとして利用して前記トレーニングマシーン本体が地面に安定的に設置され、前記偏心機構を介して前記支持板の設置高さを一般成人の膝の高さより僅かに高くし、
前記弾性カバーは、先端縁及び底縁を有し、前記先端縁及び前記底縁は、前記トレーニングマシーン本体の前記支持板と前記ベースの外周にそれぞれ結合され、前記弾性カバーの全周式カバーにより、前記ベースと前記支持板との間の前記偏心機構が外部空間から隔絶され、前記支持板が使用されていない場合、前記弾性カバーが牽引されて能動的に同一の固定位置へ復位することを特徴とする腰部トレーニングマシーン構造。
【請求項２】
前記支持板には、ユーザが座ることを特徴とする請求項１に記載の腰部トレーニングマシーン構造。
【請求項３】
前記支持板上には、ユーザが座る軟質クッションが結合されることを特徴とする請求項１に記載の腰部トレーニングマシーン構造。
【請求項４】
前記ベースの上方と支持板の下方とにそれぞれ形成された径減少部上には、前記弾性カバーの前記底縁と前記先端縁とがそれぞれ結合されることを特徴とする請求項１に記載の腰部トレーニングマシーン構造。
【請求項５】
前記偏心機構は、前記ベース上の中心部に挿設された第１の接続杆と、前記支持板下の中央部に挿設された第２の接続杆と、を有し、
前記ベースには、前記第１の接続杆が上方へ延びるように挿設され、前記支持板には、前記第２の接続杆が下方へ延びるように挿設され、
前記第１の接続杆と前記第２の接続杆との間には、クランクが嵌着され、
前記ベースと前記第１の接続杆との間と、前記支持板と前記第２の接続杆との間とには、２つの軸受がそれぞれ配設され、
前記第１の接続杆の上下部と、前記第２の接続杆の上下部とは、前記クランク及び前記軸受に対応するようにテーパ状に形成されていることを特徴とする請求項１に記載の腰部トレーニングマシーン構造。
【請求項６】
前記ベースは前記支持板より大きいことを特徴とする請求項１に記載の腰部トレーニングマシーン構造。
【請求項７】
前記弾性カバーは布カバーであることを特徴とする請求項１に記載の腰部トレーニングマシーン構造。
【考案の詳細な説明】
【技術分野】
【０００１】
本考案は、腰部トレーニングマシーン構造に関するものであり、さらに詳しくは、防塵機能及び能動型復位機能を備えた腰部トレーニングマシーン構造に関するものである。
【背景技術】
【０００２】
図１８に示すように、従来の腰部トレーニングマシーン３０は、ベース３１を含む。ベース３１上には、回転盤３２が枢着され、ユーザは回転盤３２に座って腰を捻る運動を行うことができる。しかし、従来の構造のトレーニングマシーンを実際に使用する際、以下（１）及び（２）の欠点があった。
（１）ユーザは屈んで両足を縮めた姿勢を取らなければ回転盤３２上に座ることができず、姿勢が人体工学的に好ましくないため、快適に座ることはできなかった。
（２）両足を縮める姿勢では下半身に力を加えにくく、身体を効果的に伸ばすことができず、長期的には運動傷害を発生させる虞がある上、トレーニング効果が好ましくなかった。
【０００３】
図１９に示すように、従来の腰部トレーニングマシーン４０は、ベース４１を含む。ベース４１は、底面に取りつけた４本の短杆４１１により地面上に支えられ、上方中央部に延設されたクランク４２にクッション４３が枢着され、ユーザはクッション４３上に座って腰を捻ることができる。しかし、上述の従来構造には、以下（１）〜（３）の問題点を有する。
（１）ベース４１が短杆４１１により支えられているため、座る際に両足を縮めなければならなかった
（２）ベース４１とクランク４２との間、並びにクランク４２とクッション４３との間が回転自在となっており、クッション４３を同じ位置に静止させることが困難であるため、ユーザが座る度に、まずクッション４３を回転させて定位置に戻さなければならないため操作が煩雑であった。もし、ユーザがクッション４３を定位置へ戻さずに直接座る場合、クッション４３が一側へ傾いて座り損ねて驚いてしまい、ユーザが恐怖感を感じてしまうことがある。
（３）クランク４２が直接露出されて全く覆われていないため、クランク４２が埃で汚れてしまい、最悪の場合、クランク４２に異物が進入して故障してしまう虞がある。
【０００４】
上述したような２種類の従来の腰部トレーニングマシーン構造が有する使用上の欠点に鑑み、本考案者は椅子の捻回構造を開発した。図２０に示すように、この椅子の捻回構造は、捻回構造５０を含む。捻回構造５０は脚フレーム５１を含み、脚フレーム５１の上方には、クランクシャフト５２を介して枢着された捻回盤５３が設けられる。捻回盤５３上には、椅子５４が固設される。このような構成により、座ることが可能でトレーニング機能を有する椅子の捻回構造を構成する。しかし上述した構造には、以下（１）及び（２）の問題点があった。
（１）クランクシャフト５２が直接露出されて全く覆われていないため、クランクシャフト５２が容易に埃で汚れ、最悪の場合、クランクシャフト５２に異物が進入して故障する虞がある。
（２）ユーザは、トレーニングする際、増設された椅子５４の手摺５４１を握持することができるが、手に力を加えて握るため、腰回りに加える力が減り、ユーザは腰回りを鍛えることができず、握持の姿勢が不正確となってしまったり、身体のウォーミングアップが十分でなく、手を捻って怪我してしまったりする虞があり、改良が求められていた。
【考案の概要】
【考案が解決しようとする課題】
【０００５】
本考案の第１の課題は、ユーザが座った後に跪いたり胡坐をかいたりする必要がなく、両足を完全に伸ばすことができ、運動傷害の発生の防止可能なトレーニング効果を得る腰部トレーニングマシーン構造を提供することにある。
本考案の第２の課題は、ユーザは、支持板に直接座って使用することができ、利便性が高く、ユーザが座り損ねることの防止可能な腰部トレーニングマシーン構造を提供することにある。
本考案の第３の課題は、偏心機構に埃がつくことを防止すると共に、偏心機構に異物の進入による故障の防止可能な腰部トレーニングマシーン構造を提供することにある。
本考案の第４の課題は、手摺を別途設ける必要はなく、全体構造が簡素化され、腰回りの運動を行うための力が手摺に分散されることが防止可能であると共に、不注意から手を捻って生ずる怪我の防止可能な腰部トレーニングマシーン構造を提供することにある。
【課題を解決するための手段】
【０００６】
そこで、本考案者は、本考案の前記課題を解決するため鋭意検討を重ねた結果、前記課題に対しては、下記の通り知見を得ることができ、かかる知見に基いて本考案に想到するに至った。
【０００７】
前記第１の課題に対しては、支持板の設置の高さが、一般成人の膝の平均的な高さより略高い位置に設定されることにより、
前記第２の課題に対しては、支持板が使用されていない場合、弾性カバーが牽引されて能動的に同一の固定位置に復位することにより、
前記第３の課題に対しては、弾性カバーのカバーにより隔絶され、内部の部品が露出することを防止することにより、また、
前記第４の課題に対しては、実際の使用時には確実に両足を地面につけて力を加えることができるように構成することにより、
前記各課題を解決することができることを見い出し、かかる知見に基いて、本考案に想到するに至った。
かくして、本考案の要旨は下記の通りである。
【０００８】
（１）トレーニングマシーン本体及び弾性カバーを備えた腰部トレーニングマシーン構造であって、
前記トレーニングマシーン本体は、ベースを有し、前記ベース上には、偏心機構を介して支持板が枢着され、前記ベースを重りとして利用して前記トレーニングマシーン本体が地面に安定的に設置され、前記偏心機構を介して前記支持板の設置高さを一般成人の膝の高さより僅かに高くし、
前記弾性カバーは、先端縁及び底縁を有し、前記先端縁及び前記底縁は、前記トレーニングマシーン本体の前記支持板と前記ベースの外周にそれぞれ結合され、前記弾性カバーの全周式カバーにより、前記ベースと前記支持板との間の前記偏心機構が外部空間から隔絶され、前記支持板が使用されていない場合、前記弾性カバーが牽引されて能動的に同一の固定位置へ復位することを特徴とする腰部トレーニングマシーン構造。
【０００９】
（２）前記支持板には、ユーザが座ることを特徴とする前記（１）に記載の腰部トレーニングマシーン構造。
【００１０】
（３）前記支持板上には、ユーザが座る軟質クッションが結合されることを特徴とする前記（１）に記載の腰部トレーニングマシーン構造。
【００１１】
（４）前記ベースの上方と支持板の下方とにそれぞれ形成された径減少部上には、前記弾性カバーの前記底縁と前記先端縁とがそれぞれ結合されることを特徴とする前記（１）に記載の腰部トレーニングマシーン構造。
【００１２】
（５）前記偏心機構は、前記ベース上の中心部に挿設された第１の接続杆と、前記支持板下の中央部に挿設された第２の接続杆と、を有し、
前記ベースには、前記第１の接続杆が上方へ延びるように挿設され、前記支持板には、前記第２の接続杆が下方へ延びるように挿設され、
前記第１の接続杆と前記第２の接続杆との間には、クランクが嵌着され、
前記ベースと前記第１の接続杆との間と、前記支持板と前記第２の接続杆との間とには、２つの軸受がそれぞれ配設され、
前記第１の接続杆の上下部と、前記第２の接続杆の上下部とは、前記クランク及び前記軸受に対応するようにテーパ状に形成されていることを特徴とする前記（１）に記載の腰部トレーニングマシーン構造。
【００１３】
（６）前記ベースは前記支持板より大きいことを特徴とする前記（１）に記載の腰部トレーニングマシーン構造。
【００１４】
（７）前記弾性カバーは布カバーであることを特徴とする前記（１）に記載の腰部トレーニングマシーン構造。
【考案の効果】
【００１５】
本考案に係る腰部トレーニング構造によれば、支持板の設置高さが一般成人の膝の平均的な高さより略高い位置になるように設計されているので、後述のように、ユーザーが座った後、両足を伸ばし、地面につけることができ、腰に力を加えることができることから、運動障害のおそれがなく、高いトレーニング効果を得ることができる。
また、内部の部品はカバーされているので、埃及び異物の侵入も防止することができる。  さらに、腰部トレーニングマシーンを使用しない場合、支持板が弾性カバーに牽引されて能動的に同一の固定位置に復位することができる。
【図面の簡単な説明】
【００１６】
【図１】図１は、本考案の一実施形態に係る腰部トレーニングマシーン構造を示す斜視図である。
【図２】図２は、本考案の一実施形態に係る腰部トレーニングマシーン構造を示す分解斜視図である。
【図３】図３は、本考案の一実施形態に係る腰部トレーニングマシーン構造を示す分解斜視図である。
【図４】図４は、本考案の一実施形態に係る腰部トレーニングマシーン構造を示す断面図である。
【図５】図５は、本考案の一実施形態に係る腰部トレーニングマシーン構造のトレーニングマシーン本体にユーザが座って使用するときの状態を示す説明図である。
【図６】図６は、本考案の一実施形態に係る腰部トレーニングマシーン構造にユーザが座って捻回動作を行うときの状態を示す説明図（１）である。
【図７】図７は、本考案の一実施形態に係る腰部トレーニングマシーン構造にユーザが座って捻回動作を行うときの状態を示す説明図（２）である。
【図８】図８は、本考案の一実施形態に係る腰部トレーニングマシーン構造を使用するときの状態を示す斜視図（１）である。
【図９】図９は、本考案の一実施形態に係る腰部トレーニングマシーン構造を使用するときの状態を示す平面図（１）である。
【図１０】図１０は、本考案の一実施形態に係る腰部トレーニングマシーン構造を使用するときの状態を示す斜視図（２）である。
【図１１】図１１は、本考案の一実施形態に係る腰部トレーニングマシーン構造を使用するときの状態を示す底面図（２）である。
【図１２】図１２は、本考案の一実施形態に係る腰部トレーニングマシーン構造を使用するときの状態を示す斜視図（３）である。
【図１３】図１３は、本考案の一実施形態に係る腰部トレーニングマシーン構造を使用するときの状態を示す平面図（３）である。
【図１４】図１４は、本考案の一実施形態に係る腰部トレーニングマシーン構造を使用するときの状態を示す斜視図（４）である。
【図１５】図１５は、本考案の一実施形態に係る腰部トレーニングマシーン構造を使用するときの状態を示す平面図（４）である。
【図１６】図１６は、本考案の一実施形態に係る腰部トレーニングマシーン構造を使用するときの状態を示す斜視図（５）である。
【図１７】図１７は、本考案の一実施形態に係る腰部トレーニングマシーン構造を使用するときの状態を示す平面図（５）である。
【図１８】図１８は、従来のトレーニングマシーン（１）を示す説明図である。
【図１９】図１９は、従来のトレーニングマシーン（２）を示す説明図である。
【図２０】図２０は、従来のトレーニングマシーン（３）を示す説明図である。
【考案を実施するための形態】
【００１７】
図１〜図４を参照する。図１〜図４に示すように、本考案の一実施形態に係る腰部トレーニングマシーン構造は、トレーニングマシーン本体１０及び弾性カバー２０を含む。トレーニングマシーン本体１０は、ベース１１を有する。ベース１１上には、偏心機構１２を介して支持板１３が枢着され、ベース１１を重りとして利用してトレーニングマシーン本体１０が地面に安定的に設置される。支持板１３の設置高さは、偏心機構１２を介して一般成人の膝の高さより僅かに高くする。弾性カバー２０は、先端縁２１及び底縁２２を有する。先端縁２１及び底縁２２は、トレーニングマシーン本体１０の支持板１３のベース１１の外周にそれぞれ結合され、弾性カバー２０の全周式カバーにより、ベース１１と支持板１３との間の偏心機構１２が外部空間から隔絶され、支持板１３が使用されていない場合、弾性カバー２０が牽引されて能動的に同一の固定位置へ復位する。
【００１８】
本考案の一実施形態に係る腰部トレーニングマシーン構造は、ユーザが座る支持板１３を有する。
【００１９】
本考案の一実施形態に係る腰部トレーニングマシーン構造の支持板１３上には、トレーニングする際、ユーザが座る快適性を大幅に向上させる軟質クッション１４が結合される。
【００２０】
本考案の一実施形態に係る腰部トレーニングマシーン構造は、ベース１１の上方と支持板１３の下方とに径減少部１１１，１３１がそれぞれ形成され、径減少部１１１，１３１上には弾性カバー２０の底縁２２と先端縁２１とがそれぞれ結合される。
【００２１】
本考案の一実施形態に係る腰部トレーニングマシーン構造の弾性カバー２０は布カバーでもよい。
【００２２】
本考案の一実施形態に係る腰部トレーニングマシーン構造の偏心機構１２は、ベース１１上の中心部に挿設された第１の接続杆１２１と、支持板１３下の中央部に挿設された第２の接続杆１２３と、を有する。ベース１１には、第１の接続杆１２１が上方へ延びるように挿設され、支持板１３には、第２の接続杆１２３が下方へ延びるように挿設される。第１の接続杆１２１と第２の接続杆１２３との間には、クランク１２２が嵌着される。ベース１１と第１の接続杆１２１との間と、支持板１３と第２の接続杆１２３との間とには、２つの軸受１２４がそれぞれ配設される。第１の接続杆１２１の上下部、第２の接続杆１２３の上下部は、クランク１２２及び軸受１２４に対応するようにテーパ状に形成されている。
【００２３】
本考案の一実施形態に係る腰部トレーニングマシーン構造のベース１１と支持板１３とはサイズが異なり、ベース１１は支持板１３より大きくてもよい。
【００２４】
実際に使用する際、支持板１３(又は支持板１３上に固定されたクッション１４)にユーザが座ると、偏心機構１２及びベース１１によりユーザの重量を支え、支持板１３の設置高さが一般成人の膝の平均的な高さより略高いため、ユーザが座った後に跪いたり胡坐をかいたりする必要がなく、快適に座ることができる上、図６に示すように、両足を完全に伸ばして地面へつけることができる。トレーニングを行う際、両足を地面へつけて力を加えることができるため、下半身及び腰回りに容易に力を入れ、図６及び図７に示すように、支持板１３を円滑に捻回させることができる。捻回させる際、偏心機構１２のクランク１２２がベース１１の中心部を円心として回転し、クランク１２２と支持板１３との間が第２の接続杆１２３により枢着され、図４、図８〜図１７に示すように、支持板１３がクランク１２２上で自転するため、支持板１３が捻回する際に発生する斜め方向の推進力が大幅に減り、第２の接続杆１２３上で回転する支持板１３が同一方向で回転するため、腰を振るトレーニングを行うことができる。
【００２５】
上述したことから分かるように、本考案の腰部トレーニングマシーン構造は、以下（１）〜（５）の長所を有する。
（１）支持板１３の設置高さが一般成人の膝の平均的な高さより略高いため、ユーザが座った後に跪いたり胡坐をかいたりする必要がなく、快適に座ることができ、人体工学的に好ましい。
（２）支持板１３の設置高さが一般成人の膝の平均的な高さより略高いため、ユーザが座った後に跪いたり胡坐をかいたりする必要がなく、両足を完全に伸ばして地面につけることができるため力を容易に加えることができ、運動傷害の発生を防止し高いトレーニング効果が得られる。
（３）使用されていない場合、弾性カバー２０の牽引により、支持板１３が能動的に同一の固定位置へ復位するため、ユーザは、支持板１３に直接座って使用することができるため利便性が高い上、ユーザが座り損ねて驚いてしまうことを防ぐことができる。
（４）弾性カバー２０のカバーにより隔絶されて内部の部品が露出されないため、偏心機構１２に埃がつくことを防いで、異物が進入して偏心機構１２が故障してしまうことを防ぐことができる。
（５）実際に使用する際、両足を確実に地面につけて力を加えることができるため、手摺を別途設ける必要がなく、全体構造が簡素となり、腰回りの運動を行うための力が手摺に分散されたり、不注意から手を捻って怪我したりすることを防ぐことができる。
【符号の説明】
【００２６】
１０  トレーニングマシーン本体
１１  ベース
１２  偏心機構
１３  支持板
１４  クッション
２０  弾性カバー
２１  先端縁
２２  底縁
３０  腰部トレーニングマシーン
３１  ベース
３２  回転盤
４０  腰部トレーニングマシーン
４１  ベース
４２  クランク
４３  クッション
５０  捻回構造
５１  脚フレーム
５２  クランクシャフト
５３  捻回盤
５４  椅子
１１１  径減少部
１２１  第１の接続杆
１２２  クランク
１２３  第２の接続杆
１２４  軸受
１３１  径減少部
４１１  短杆
５４１  手摺
【図１】
0003201592.tif 000003
【図２】
0003201592.tif 000004
【図３】
0003201592.tif 000005
【図４】
0003201592.tif 000006
【図５】
0003201592.tif 000007
【図６】
0003201592.tif 000008
【図７】
0003201592.tif 000009
【図８】
0003201592.tif 000010
【図９】
0003201592.tif 000011
【図１０】
0003201592.tif 000012
【図１１】
0003201592.tif 000013
【図１２】
0003201592.tif 000014
【図１３】
0003201592.tif 000015
【図１４】
0003201592.tif 000016
【図１５】
0003201592.tif 000017
【図１６】
0003201592.tif 000018
【図１７】
0003201592.tif 000019
【図１８】
0003201592.tif 000020
【図１９】
0003201592.tif 000021
【図２０】
0003201592.tif 000022